(57)【要約】      （修正有）【課題】屋根に上る必要がなく、運用が簡単な雪下ろしの方法または装置を提供する。【解決手段】板の一端に基礎支柱を接続し対向する端に雪止め支柱を接続し屋根の上部に設ける本体１と、本体１が回動可能なように基礎支柱１Ｂを垂直支柱２に固定する基礎支柱固定部４と、本体１を回動させる回動部６からなる。回動部６により本体１を、基礎支柱固定部４を軸として地面方向に回動させることで、屋根に上る必要がなく、運用が簡単な雪下ろしを行うことが可能となる。【選択図】図１
0003198386.tif 000002
【実用新案登録請求の範囲】
【請求項１】
板の一端に基礎支柱を接続し対向する端に雪止め支柱を接続し屋根の上部に設ける本体と、本体が回動可能なように基礎支柱を垂直支柱に固定する基礎支柱固定部と、本体を回動させる回動部からなることを特徴とする雪下ろし具。
【考案の詳細な説明】
【技術分野】
【０００１】本考案は雪おろし具に関するものである。
【背景技術】
【０００２】積雪の多い地域では屋根の雪下ろしを人が屋根に上がってスコップを用いるまたは温水をかけ流すことで行っている。屋根にヒーターを取り付けて雪を溶かすことで対応することも行われている。
また屋根にワイヤーに介して滑車を取り付け、雪かき板が接続されたロープを滑車により動かすことで雪下ろしを行う装置もある（特許文献１参照）。
【先行技術文献】
【特許文献】
【０００３】
【特許文献１】特開２０１２−２１９６１２号  公報
【考案の概要】
【考案が解決しようとする課題】
【０００４】前記のように雪下ろしはいろいろな方法、装置により行われているが、人が屋根に上がってスコップを用いる、温水をかけ流すのは落下する危険性がある。
また特許文献１に記載の装置は、屋根に上ってワイヤー、滑車及びロープを取り付ける必要があるため落下する危険性がある。またこの装置は、ロープに設けた結び目を利用して雪かき板を所望の位置に固定するものであるが、所望の位置に固定するのが難しいという運用上の問題がある。
豪雪地の雪下ろし作業は幾十年殆んど毎年死傷者が後を断たず、科学の発達はめざましいものであっても、雪下ろしは一向に有効な機能を有した手段が現れていないのが実情であり、屋根に上る必要がなく、運用が簡単な雪下ろしの方法または装置を提供することが課題である。
【課題を解決するための手段】
【０００５】上記課題を解決するために、本考案に係る雪下ろし具は以下の手段を有する。
板の一端に基礎支柱を接続し対向する端に雪止め支柱を接続し屋根の上部に設ける本体と、本体が回動可能なように基礎支柱を垂直支柱に固定する基礎支柱固定部と、本体を回動させる回動部からなることを特徴とする。
【考案の効果】
【０００６】屋根に上る必要がなく、運用が簡単な雪下ろしの方法または装置を提供することが可能となる。
【図面の簡単な説明】
【０００７】
【図１】本考案に係る雪下ろし具の構成を示す図であり、（ａ）は平面図、（ｂ）は左側面図、（ｃ）は正面図である。
【図２】本考案に係る雪下ろし具の使用方法を示す図であり、（ａ）は平面図、（ｂ）は左側面図、（ｃ）は正面図である。
【考案を実施するための形態】
【０００８】以下、本発明に係る雪下ろし具を実施するための形態を図１及び２に基づいて説明する。
【０００９】なお、本記載は実用新案登録請求の範囲を示した例であり、実用新案登録請求の範囲を本記載に限定することを意味するものではない。
【００１０】図１は本考案に係る雪下ろし具の構成を示す図であり、（ａ）は平面図、（ｂ）は左側面図、（ｃ）は正面図である。
（ａ）〜（ｃ）に示すように、屋根１０Ａを有した建物１０の周囲に建物１０の垂直方向に延びる垂直支柱２を設ける。垂直支柱２間には建物１０の水平方向に延びる水平支柱３が設けられ、垂直支柱２を強固に保持している。
【００１１】本考案に係る雪下ろし具は本体１と、本体１が回動可能なように基礎支柱１Ｂを垂直支柱２に固定する基礎支柱固定部４と、本体１を回動させる回動部６からなるものであり、本体１、基礎支柱固定部４及び回動部６について以下に説明する。
【００１２】本体１は（ａ）及び（ｂ）に示すように、板１Ａの一端に基礎支柱１Ｂを接続し対向する端に雪止め支柱１Ｃを接続したものである。
基礎支柱１Ｂを（ａ）〜（ｃ）に示すように、建物１０の正面及び背面のそれぞれにおける水平方向の中心に設けた垂直支柱２間に屋根１０Ａよりも高い位置に設けることで、本体１を屋根１０Ａの上部を覆うように設ける。
（ａ）及び（ｂ）に示すように、基礎支柱１Ｂよりも下方に雪止め支柱１Ｃが存在するように本体１を設ける。
【００１３】本体１は、本体１が回動可能なように基礎支柱１Ｂを垂直支柱２に固定する基礎支柱固定部４により、垂直支柱２に固定する。（ａ）〜（ｃ）は基礎支柱固定部４が設けられる位置を示している。基礎支柱固定部４の構造としては例えば、ベアリングや回転可能な内筒とその外周を覆う外筒からなるものがあげられる。
【００１４】本体１は（ａ）及び（ｂ）に示すように、雪止め支柱固定部５により建物１０の正面及び背面のそれぞれにおける水平方向の端に設けた垂直支柱２に固定されている。
（ａ）及び（ｂ）は雪止め支柱固定部５が設けられる位置を示している。雪止め支柱固定部５の構造としては例えば、雪止め支柱１Ｃの端面形状と嵌め合う形状の部材や雪止め支柱１Ｃが動くことを防止するピンがあげられる。
【００１５】（ａ）〜（ｃ）では、建物１０の正面及び背面のそれぞれにおける水平方向の中心に設けた垂直支柱２を中心に、水平方向に本体１を２つ設けている。
前記のように本体１は屋根１０Ａの上部を覆うように設けているので、降った雪は本体１の上に積もることになる。量にもよるが雪は積もると重量を有するので、本体１は雪の重量で壊れないよう（ａ）及び（ｂ）に示すように、基礎支柱１Ｂと雪止め支柱１Ｃの間に梁１Ｄを設けて強固にして梁１Ｄ間に板１Ａを設けている。
【００１６】本考案に係る雪下ろし具は、本体１を回動させる回動部６を設けている。（ａ）〜（ｃ）は回動部６が設けられる位置を示している。回動部６の構造としては例えば、ロープがあげられる。
【００１７】図２は本考案に係る雪下ろし具の使用方法を示す図であり、（ａ）は平面図、（ｂ）は左側面図、（ｃ）は正面図である。（ｂ）では雪止め支柱１Ｃ、（ｃ）では本体１を一点鎖線及び実線で示している。
一点鎖線は図１に示した本体１を回動させる前の状態を示したものであり、実線は回動部６により本体１を、基礎支柱固定部４を軸として地面方向に回動させた状態を示したものである。なお雪止め支柱固定部５は解除したうえで本体１を回動させる。本体１を地面方向に回動させることで、上に積もった雪を下ろすことができる。
【実施例】
【００１８】本考案に係る雪下ろし具は、塩化ビニルパイプの組み立てにより木造家屋外郭に取り付け中学生以上の男女であれば軒下で下段パイプに打ちつけ雪を下ろすことができる装置であり、積雪重力は家屋に加わらず家屋の傷みを防ぐことができる。【００１９】木造家屋の屋根棟上５０ｃｍ上部に鉄製パイプを上げ、そこから屋根の傾斜に平行して軒下の上に上部塩化ビニルパイプを並べその下３５ｃｍ位に下部鉄製パイプを並べ、雪下ろしの時は木部を下に下ろし３回程度木部を鉄パイプで下段に打ちつけると雪が落ちるのである。これを屋根の反対側にも同じ様に取付ける。組立時間は２人で半日、解体も２人で半日である。【００２０】家屋は様々な形態であるので個別に設計しなければならない。最上部パイプと軒上下段のパイプはスチールパイプとし、後の塩化ビニルパイプで全体の補強をするだけである。木部黄色塗装のベニヤ状のものに液体を塗ると更に効果は上がるが必須条件ではない。打ちつけるのは３回程度、中学生男女程度の力で強く打ちつけると雪は落ちる。【００２１】４月に撤去した資材は狭い空間に仮置きする。豪雪地、また強風を考えて側面の戸障子、ガラス障子等になだれ込み防止のため、木部またはベニヤ等を横パイプに取付け、地上５ｃｍ位の処で鉄筋を結びつけ板と止めることができる。撤去後の資材はビニールハウス等の骨材として活用すれば良い。
【符号の説明】
【００２２】１    本体
１Ａ  板
１Ｂ  基礎支柱
１Ｃ  雪止め支柱
１Ｄ  梁
２    垂直支柱
３    水平支柱
４    基礎支柱固定部
５    雪止め支柱固定部
６    回動部
１０    建物
１０Ａ  屋根
【図１】
0003198386.tif 000003
【図２】
0003198386.tif 000004